(57)【要約】【課題】ハウジングの外形形状をそのままにしておいて、電線の配索経路を変えることができる電線付きコネクタを提供する。【解決手段】第１の中空部１５を具備している第１の筒状部１７と、第２の中空部１９を具備しており、第２の中空部１９の中心軸Ｃ２が第１の中空部１５の中心軸Ｃ１に対してねじれの位置関係になっている第２の筒状部２１とを備えているハウジング５と、第１の中空部１５に設置されている止水栓７と、第２の中空部１９に設置されている端子ホルダ９と、ハウジング５内を通りハウジング５の外部に延出している電線１１とを有し、第１の中空部１５の中心軸Ｃ１と第１の筒状部１７の中心軸Ｃ３とはお互いが不一致になっている電線付きコネクタ１である。【選択図】図２
2020024841.tif 000002
【特許請求の範囲】
【請求項１】
第１の中空部を具備して筒状に形成されている第１の筒状部と、第２の中空部を具備して筒状に形成されており、前記第２の中空部の中心軸が前記第１の中空部の中心軸に対してねじれの位置関係になっており、前記第２の中空部が前記第１の中空部につながるようにして、前記第１の筒状部と一体化している第２の筒状部とを備えているハウジングと、
前記第１の中空部に設置されている止水栓と、
前記第２の中空部に設置されている端子ホルダと、
電線本体部と、この電線本体部の端部に設置されている端子とを備え、前記端子が前記端子ホルダに設置されており、前記電線本体部が前記ハウジング内に形成されているハウジング内空間を通り前記止水栓に挿通され前記ハウジングの外部に延出している電線と、
を有し、前記第１の中空部の中心軸と前記第１の筒状部の中心軸とはお互いが不一致になっていることを特徴とする電線付きコネクタ。
【請求項２】
請求項１に記載の電線付きコネクタにおいて、
前記第１の中空部の中心軸と前記第１の筒状部の中心軸とはお互いが平行になっていることを特徴とする電線付きコネクタ。
【請求項３】
請求項２に記載の電線付きコネクタにおいて、
前記第１の中空部の中心軸は、前記第１の筒状部の中心軸よりも前記第２の筒状部側に位置していることを特徴とする電線付きコネクタ。
【請求項４】
請求項１〜請求項３のいずれか１項に記載の電線付きコネクタにおいて、
前記ハウジング内空間に充填されている充填材を有することを特徴とする電線付きコネクタ。
【請求項５】
第１の中空部を具備して筒状に形成されている第１の筒状部と、第２の中空部を具備して筒状に形成されており、前記第２の中空部の中心軸が前記第１の中空部の中心軸に対してねじれの位置関係になっており、前記第２の中空部が前記第１の中空部につながるようにして、前記第１の筒状部と一体化している第２の筒状部とを備えているハウジングであって、
前記第１の中空部の中心軸と前記第１の筒状部の中心軸とはお互いが不一致になっており、前記第１の中空部の中心軸と前記第１の筒状部の中心軸とはお互いが平行になっており、前記第１の中空部の中心軸は、前記第１の筒状部の中心軸よりも前記第２の筒状部側に位置していることを特徴とするコネクタハウジング。
【発明の詳細な説明】
【技術分野】
【０００１】
本発明は、電線付きコネクタおよびコネクタハウジングに係り、特に、ハウジングが２つの筒状部を備えており、これらの中心軸がお互いにずれているものに関する。
【背景技術】
【０００２】
従来、図１３で示すような、コネクタハウジング（ハウジング）３０１と電線３０３と端子金具（端子）３０５と充填材３０７とを備えているコネクタ（電線付きコネクタ）３０９が知られている（たとえば特許文献１参照）。
【０００３】
ハウジング３０１には、お互いが連通している電線取付部３１１と端子取付部３１３とが設けられている。電線３０３は、電線取付部３１１に取り付けられている。端子３０５は端子取付部３１３に取り付けられている。充填材３０７は、ハウジング３０１内における電線３０３や端子３０５の取付け領域内に注入されている。
【先行技術文献】
【特許文献】
【０００４】
【特許文献１】特開平１０−１１６６４６号公報
【発明の概要】
【発明が解決しようとする課題】
【０００５】
ところで、電線付きコネクタでは、この使用状況によって、コネクタ（ハウジング）の外形形状をそのままにしておいて、電線（電線本体部）の配索経路を変更する必要が生じる場合がある。
【０００６】
本発明は、ハウジングの外形形状をそのままにしておいて、電線（電線本体部）の配索経路を変えることができる電線付きコネクタおよびコネクタハウジングを提供することを目的とする。
【課題を解決するための手段】
【０００７】
本発明は、第１の中空部を具備して筒状に形成されている第１の筒状部と、第２の中空部を具備して筒状に形成されており、前記第２の中空部の中心軸が前記第１の中空部の中心軸に対してねじれの位置関係になっており、前記第２の中空部が前記第１の中空部につながるようにして、前記第１の筒状部と一体化している第２の筒状部とを備えているハウジングと、前記第１の中空部に設置されている止水栓と、前記第２の中空部に設置されている端子ホルダと、電線本体部と、この電線本体部の端部に設置されている端子とを備え、前記端子が前記端子ホルダに設置されており、前記電線本体部が前記ハウジング内に形成されているハウジング内空間を通り前記止水栓に挿通され前記ハウジングの外部に延出している電線とを有し、前記第１の中空部の中心軸と前記第１の筒状部の中心軸とはお互いが不一致になっている電線付きコネクタである。
【発明の効果】
【０００８】
本発明によれば、ハウジングの外形形状をそのままにしておいて、電線（電線本体部）の配索経路を変えることができる電線付きコネクタを提供することができるという効果を奏する。
【図面の簡単な説明】
【０００９】
【図１】本発明の実施形態に係る電線付きコネクタの分解斜視図である。
【図２】本発明の実施形態に係る電線付きコネクタの設置状態を示す図である。
【図３】図１に示すハウジングにおけるＩＩＩ−ＩＩＩ断面を示す部分断面図である。
【図４】本発明の実施形態に係る電線付きコネクタのハウジングで一部を切り欠いた状態を示す斜視図である。
【図５】図３におけるＶ部の拡大図である。
【図６】本発明の実施形態に係る電線付きコネクタのハウジングで一部を切り欠いた状態を示す斜視図である。
【図７】図６におけるＶＩＩ部の拡大図である。
【図８】本発明の実施形態に係る電線付きコネクタのハウジングで一部を切り欠いた状態を示す斜視図である。
【図９】（ｂ）は図８におけるＩＸ部の拡大図であり、（ａ）は比較例に係るハウジングの部位（（ｂ）に対応した部位）を示す図である。
【図１０】本発明の実施形態に係る電線付きコネクタの端子ホルダを示す斜視図である。
【図１１】本発明の実施形態に係る電線付きコネクタの止水栓を示す斜視図である。
【図１２】本発明の実施形態に係る電線付きコネクタの端子を示す斜視図である。
【図１３】従来の電線付きコネクタを示す図である。
【発明を実施するための形態】
【００１０】
本発明の実施形態に係る電線付きコネクタ１は、図２で示すように、筐体３に設置されて使用されるものであり、図１、図２で示すように、ハウジング（コネクタハウジング）５と止水栓７と端子ホルダ９と電線１１と充填材１３とを備えて構成されている。
【００１１】
ここで、説明の便宜のために、コネクタにおける所定の一方向をＸ方向とし、Ｘ方向に対して直交する所定の一方向をＹ方向とし、Ｘ方向とＹ方向とに対して直交する方向をＺ方向とする。また、Ｘ方向における一方の側を一端側とし他方の側を他端側とする。Ｙ方向における一方の側を一端側とし他方の側を他端側とする。Ｚ方向における一方の側を一端側とし他方の側を他端側とする。
【００１２】
ハウジング５は、たとえば、樹脂で構成されており、第１の中空部１５を備えて（具備して）筒状に形成されている第１の筒状部１７と、第２の中空部１９を備えて（具備して）筒状に形成されて第２の筒状部２１とを具備して、「Ｌ」字状に形成されている。第１の筒状部１７と第２の筒状部２１とはたとえば同時に成形されていることでお互いが一体化している。
【００１３】
第２の中空部１９の中心軸（第２の中心軸）Ｃ２と第１の中空部１５の中心軸（第１の中心軸）Ｃ１とは、お互いがねじれの位置関係になっている。
【００１４】
たとえば、第１の中心軸Ｃ１は、Ｚ方向に延びており、第２の中心軸Ｃ２は、Ｙ方向に延びている。第１の中心軸Ｃ１と第２の中心軸Ｃ２とは、これらがねじれの位置関係にあることで、Ｘ方向で所定の距離だけ離れている（Ｘ方向でオフセットされている）。
【００１５】
さらに説明すると、Ｘ軸方向で見て、第１の中空部１５の中心軸Ｃ１と第２の中空部１９の中心軸Ｃ２とがお互いに交差している。第１の中心軸Ｃ１に対して第２の中心軸Ｃ２をＸ方向で平行移動して、第１の中心軸Ｃ１と第２の中心軸Ｃ２とが１点で交わるように（交差するように）した場合、第１の中心軸Ｃ１と第２の中心軸Ｃ２とがお互いに直交するようになっている。
【００１６】
なお、第１の中心軸Ｃ１と第２の中心軸Ｃ２とが１点で交わったとした場合に、第１の中心軸Ｃ１と第２の中心軸Ｃ２との位置関係が、直角以外の角度であって直角に近い角度（７０°〜１１０°程度の角度）で交差する関係になっていてもよい。
【００１７】
なお、すでに理解されるように、第２の中空部１９の一方の端部（第２の中心軸Ｃ２の延伸方向における一端側の部位）と第１の中空部１５の一方の端部（第１の中心軸Ｃ１の延伸方向における一端側の部位）とで、第２の中空部１９が第１の中空部１５につながっている（連通している）。
【００１８】
また、第１の中空部１５と第２の中空部１９とで、ハウジング５の内側に「Ｌ」字状の中空部（「Ｌ」字状中空部）２３が形成されている。なお、図３等に参照符号２６で示すものは、筐体３との設置面を有するフランジ部である。
【００１９】
止水栓７は、第１の中空部１５（第１の筒状部１７内）に設置されており（収容されており）、端子ホルダ９は、第２の中空部１９（第２の筒状部２１内）に設置されている（収容されている）。
【００２０】
止水栓７が第１の筒状部１７内に設置されており、端子ホルダ９が第２の筒状部２１内に設置されていることで、ハウジング５内に、ハウジング内空間２５が形成されている。ハウジング内空間２５は、止水栓７と端子ホルダ９との間に形成されており、「Ｌ」字状中空部２３の一部で形成されている。
【００２１】
電線１１は、電線本体部２７と端子２９とを備えて構成されている。電線本体部２７は、たとえば、細長い複数本の芯線とこれらの芯線を覆っている被覆とを備えて構成されており、可撓性を備えている。端子２９は、金属等の導電性材料で構成されており、電線本体部２７の長手方向の一方の端部に設置されている。
【００２２】
端子２９は、端子ホルダ９に一体的に設置されている。電線本体部２７は、端子（ハウジング５に設置されている端子ホルダ９に設置されている端子）２９から延伸しハウジング５内に形成されているハウジング内空間２５を通り止水栓７に挿通されている。さらに、電線本体部２７は、ハウジング内空間２５と止水栓７とを通り抜けて、第１の筒状部１７からハウジング５の外部に延出している。
【００２３】
また、ハウジング５では、図５や図３で示すように、第１の中空部１５の中心軸Ｃ１と第１の筒状部１７の中心軸（第１の中空部１５が非存在であるとした場合の第１の筒状部１７の中心軸）Ｃ３とはお互いが不一致になっている。
【００２４】
さらに説明すると、第１の中空部１５は円柱状に形成されており、第１の筒状部１７の外形は、第１の中空部１５の内径よりも径が大きい円柱状に形成されている。
【００２５】
また、第１の中空部１５の中心軸Ｃ１と第１の筒状部１７の中心軸（側面が円柱側面状に形成されている第１の筒状部の中心軸）Ｃ３とは、お互いが僅かに離れて（図５に示す距離Ｌ１だけ離れて）お互いが平行になっている。
【００２６】
これにより図６の一部を拡大した図である図７で示すように、第１の中空部１５が、寸法Ｌ１だけＸ方向でオフセットされている。なお、図７に二点鎖線で示すものは、第１の中空部１５の中心軸Ｃ１と第１の筒状部１７の中心軸Ｃ３とがお互いに一致している場合における第１の中空部１５を示している。
【００２７】
また、第１の中空部１５の中心軸Ｃ１の延伸方向（Ｚ方向）と第２の中空部１９の中心軸Ｃ２の延伸方向（Ｙ方向）とに対して直交する方向（Ｘ方向）で、第１の中空部１５の中心軸Ｃ１は、第１の筒状部１７の中心軸Ｃ３よりも第２の筒状部２１（第２の中空部１９）側に位置している。
【００２８】
さらに説明すると、上述したように、第１の中空部１５の中心軸Ｃ１はＺ方向に延びているが、第１の筒状部１７の中心軸Ｃ３もＺ方向に延びている。第２の中空部１９の中心軸Ｃ２は、Ｙ方向に延びて、第１の中空部１５の中心軸Ｃ１や第１の筒状部１７の中心軸Ｃ３から離れている。
【００２９】
第１の中空部１５の中心軸Ｃ１は、第２の筒状部２１側にわずかにずれている。すなわち、第１の中空部１５の中心軸Ｃ１が、Ｘ方向で、第１の筒状部１７の中心軸Ｃ３と第２の中空部１９の中心軸Ｃ２との間であって第２の中空部１９の中心軸Ｃ２側に位置している。
【００３０】
図３や図５で示すように、Ｘ方向における第１の筒状部１７の中心軸Ｃ３と第２の中空部１９の中心軸Ｃ２との間の距離Ｌ２は、Ｘ方向における第１の筒状部１７の中心軸Ｃ３と第１の中空部１５の中心軸Ｃ１との間の距離（第１の筒状部における軸ずれ量）Ｌ１との間の距離に比べて十分に大きくなっている（たとえば、５倍〜１０倍程度の値になっている）。
【００３１】
これにより、第１の筒状部１７の筒の肉厚が、第２の中空部１９側（図５では左側）で薄く、第２の中空部１９とは反対側（図５では右側）で厚くなっている。
【００３２】
なお、上記説明では、第１の中空部１５の中心軸Ｃ１が、第２の筒状部２１側にずれているが、逆に、第１の中空部１５の中心軸Ｃ１が、第２の筒状部１７とは反対側にずれていてもよい。
【００３３】
また、上記説明では、第１の中空部１５の中心軸Ｃ１がＸ方向でのみずれているが、Ｘ方向に代えてもしくは加えてＹ方向でずれていてもよい。
【００３４】
充填材１３は、樹脂等で構成されており、ハウジング内空間２５に充填（ポッティング）されている。ハウジング５（電線付きコネクタ１）は、上述したように、筐体３に設置されて使用されるようになっている。筐体３の内部には、潤滑油等の液体が入っている。
【００３５】
さらに説明すると、図２で示すように、ハウジング５は、第１の筒状部１７の一部（第２の筒状部２１とは反対側の端部；他端側の部位）が、筐体３に設けられている貫通孔３３に挿入されている。貫通孔３３は、電線付きコネクタ１が設置されていない状態では、筐体３の肉部を貫通し筐体３の内部と筐体３の外部とをつないでいる。
【００３６】
また、ハウジング５は、第２の筒状部２１と第１の筒状部１７の他の部位（第２の筒状部２１側の部位；一端側の部位）とが、筐体３の外部に突出するようにして、筐体３に設置されている。なお、図２に参照符号３５で示すものは、Ｏリング等のシール材である。Ｏリングは、第１の筒状部１７の外周に形成されている環状の溝内に配置されている。
【００３７】
充填材１３は、筐体３内部の液体が、ハウジング内空間２５を通って、筐体３の外部に漏れ出ることを防止するために設けられており、たとえば、ハウジング内空間２５の総てに充填されている。なお、筐体３の外部に液体が漏れ出ることを防止できるのであれば、充填材１３が、ハウジング内空間２５の一部に充填されている構成であってもよい。
【００３８】
たとえば、充填材１３が、止水栓７に接触しハウジング内空間２５における止水栓７側の部位のみに設けられていてもよい。この場合、充填材１３は、少なくとも電線本体部２７と第１の筒状部１７の中空部１５の内壁とに密着している。
【００３９】
ここで、電線付きコネクタ１についてさらに詳しく説明する。
【００４０】
ハウジング５の第１の中空部１５は、上述したように、円柱状に形成されている。ハウジング５の第１の筒状部１７は円筒状に形成されている。第１の中空部１５の中心軸Ｃ１と第１の筒状部１７の中心軸Ｃ３とは、上述したようにお互いがずれており一致していない。第２の中空部１９は、たとえば、長円柱状に形成されている。長円柱では、この底面の形状が長円になっている。
【００４１】
端子ホルダ９は、たとえば、合成樹脂で構成されており、図１０で示すように、Ｙ方向に長い直方体状に形成されており、電線１１の端子２９が一体的に設置される端子設置部４５と、被係止部４７とを備えて構成されている。
【００４２】
端子ホルダ９の外径（Ｘ方向の寸法、Ｚ方向の寸法）は、第２の中空部１９の内径（Ｘ方向の寸法、Ｚ方向の寸法）よりも小さくなっており、端子ホルダ９が、第２の中空部１９に設置されたときには、端子ホルダ９と第２の中空部１９との間には、間隙が形成される。
【００４３】
ただし、図示してはいないが、端子ホルダ９には小さな突起が設けられており、端子ホルダ９が第２の中空部１９に設置されたときに、小さな突起が第２の中空部１９の内壁に押されてつぶれることで、端子ホルダ９のがたつき（特に、Ｘ方向、Ｚ方向でのがたつき）がほとんど発生しないようになっている。
【００４４】
被係止部４７は端子ホルダ９のＹ方向の一端部に設けられている。そして、端子ホルダ９を第２の中空部１９内に挿入し終えたときに、被係止部４７がハウジング５に設けられている係止部４９（図４参照）に係止され、端子ホルダ９がハウジング５に一体的に設置されるようになっている。
【００４５】
止水栓７は、たとえば、ゴムや柔らかい合成樹脂で構成されており、図１１で示すように、高さ寸法（Ｚ方向の寸法）が小さい円柱状に形成されている。止水栓７の外周には、リング状のリップ部５１が設けられている。止水栓７が第１の中空部１５に設置されたときには、リップ部５１が潰れて第１の中空部１５の内壁と止水栓７との間のシールがされるようになっている。
【００４６】
また、止水栓７には、電線本体部２７を通すための貫通孔（キャビティ）５３が設けられている。止水栓７の貫通孔５３の内周には、リング状のリップ部５５が設けられている。電線本体部２７が貫通孔５３の挿通されたときには、リップ部５５が潰れて貫通孔５３の内壁と電線本体部２７との間のシールがされるようになっている。
【００４７】
端子２９は、図１２で示すように、端子本体部５７と電線本体部設置部（ワイヤバレル部）５９と治具突き当て部６１とを備えて構成されている。端子本体部５７には、圧入爪６３が設けられている。端子本体部５７は、端子ホルダ９の端子設置部４５に挿入されるようになっている。電線本体部設置部５９には、電線本体部２７がたとえばカシメによって設置されるようになっている。
【００４８】
端子本体部５７が端子ホルダ９の端子設置部４５に挿入されて端子本体部５７が端子ホルダ９に設置された状態では、圧入爪６３が端子ホルダ９に食い込み、端子２９が端子ホルダ９と一体化し、端子本体部５７の先端部（Ｙ方向の他端部）が端子ホルダ９の他端（Ｙ方向の他端）から突出するようになっている。
【００４９】
電線１１（端子２９）が設置された端子ホルダ９が第２の中空部１９に設置された状態では、端子本体部５７の先端部も第２の中空部１９内に位置しており、電線本体部２７が、Ｙ方向の一端側に端子ホルダ９から延出している。
【００５０】
上述したように、ハウジング５に端子ホルダ９を設置しただけでは、ハウジング５と端子ホルダ９との間に、間隙が形成されている。そこで、この間隙を塞いで端子ホルダ９とハウジング５とをより強固に一体化させシールするために、充填材１３が間隙にも充填されていることが望ましい。
【００５１】
また、端子本体部５７が端子ホルダ９の端子設置部４５に挿入されて端子ホルダ９に設置された状態で、端子本体部５７と貫通孔で形成された端子設置部４５の内壁との間に僅かな間隙が存在している場合、この間隙にも充填材１３が充填されていることが望ましい。
【００５２】
次に、電線付きコネクタ１の製造方法について説明する。
【００５３】
まず、電線１１の端子２９を端子ホルダ９に設置する（端子設置工程）。
【００５４】
続いて、端子２９が端子ホルダ９に一体的に設置されている電線１１を、電線本体部２７がハウジング５内を通りハウジング５の外部にまで延伸するように設置する（電線設置工程）。
【００５５】
続いて、端子ホルダ９をハウジング５に設置する（端子ホルダ設置工程）。
【００５６】
続いて、ハウジング５の外部にまで延伸している電線本体部２７が止水栓７に挿通されるようにして電線本体部２７に止水栓７を設置するとともに、電線本体部２７に対して止水栓７をずらし、止水栓７をハウジング５に設置する（止水栓設置工程）。このとき、ハウジング内空間２５での電線本体部２７の弛みを極力少なくすることが望ましい。
【００５７】
続いて、Ｚ方向が上下方向もしくは上下方向に対して０°〜３０°程度斜めなっており、第２の筒状部２１が上側に位置し第１の筒状部１７が下側に位置している状態で、ハウジング５と端子ホルダ９との間の間隙を通してハウジング５内（ハウジング内空間２５）に充填材（未硬化の充填材）１３を充填する（充填工程）。
【００５８】
なお、上記充填工程での充填後、たとえば、第２の筒状部２１が下側に位置し第１の筒状部１７が上側に位置するように、ハウジング５の姿勢を変えて、ハウジング内空間２５内（未だ充填材が入ったない箇所）に未硬化１３を充填してもよい。
【００５９】
続いて、充填材１３を硬化させることで、電線付きコネクタ１が製造される。
【００６０】
電線付きコネクタ１によれば、第１の中空部１５の中心軸Ｃ１と第１の筒状部１７の中心軸Ｃ３とがお互いが不一致になっていることで、第１の筒状部１７の外形に対する第１の中空部１５の位置がずれている。これにより、ハウジング５の外形形状（特に第２の筒状部２１に対する第１の筒状部１７の外形の位置）をそのままにしておいて、ハウジング５内やハウジング５（第１の筒状部１７）近傍での電線本体部２７の配索経路を変えることができる。
【００６１】
また、電線付きコネクタ１によれば、第１の中空部１５の中心軸Ｃ１と第１の筒状部１７の中心軸Ｃ３とが、お互いに平行になっているので、Ｚ方向の第１の筒状部１７の肉厚を一定にすることができ、第１の筒状部１７の強度を容易に確保することができる。
【００６２】
また、電線付きコネクタ１によれば、第２の中空部１９の中心軸（Ｙ方向に延びている中心軸）Ｃ２が第１の中空部１５の中心軸（Ｚ方向に延びている中心軸）Ｃ１に対してねじれの位置関係になっており、Ｘ方向で、第１の中空部１５の中心軸Ｃ１が、第１の筒状部１７の中心軸Ｃ３よりも第２の筒状部２１側に位置しているので、ハウジング５内に電線本体部２７を配索するときにおける電線本体部２７のハウジングへ５の引っ掛かりを極力無くすことができる。
【００６３】
すなわち、第１の中空部１５の中心軸Ｃ１が第２の筒状部２１側に位置しているので、第１の中空部１５の中心軸Ｃ１と第１の筒状部１７との中心軸Ｃ３がお互いに一致している場合に比べ、ハウジング５内に電線本体部２７を配索するときにおける電線本体部２７の移動量（Ｘ方向における移動量）が少なくなり、電線本体部２７のハウジング５への引っ掛かりを極力無くすことができる。
【００６４】
また、第１の中空部１５の中心軸Ｃ１が第２の筒状部２１側に位置しているので、ハウジング内空間２５の屈曲部（第１の中空部１５と第２の中空部１９とが交わっているところ）の壁６５の立ち上がり量が小さくなり、電線本体部２７が曲がり下る部位での電線本体部２７に発生するストレスの値を小さくすることができる。
【００６５】
ここで、屈曲部の壁の立ち上がり量について、図９を参照して説明する。図９（ａ）は、比較例に係るハウジングの屈曲部を示しており、第１の中空部の中心軸と第１の筒状部の中心軸とがお互いに一致しているものを示している。図９（ｂ）は、本発明の実施形態に係るハウジング５の屈曲部を示しており、第１の中空部１５の中心軸Ｃ１と第１の筒状部１７の中心軸Ｃ３とがお互いに一致しておらず、第１の中空部１５の中心軸Ｃ１が第２の筒状部２１側にオフセットされているもの示している。図９（ａ）で示すものの壁６５の立ち上がり量Ｈ２は、図９（ｂ）で示すものの壁の立ち上がり量Ｈ１よりも大きくなっている。
【００６６】
また、電線付きコネクタ１では、ハウジング内空間２５に充填材１３が充填されているが、図９を参照して説明したように、ハウジング内空間２５の屈曲部の壁６５の立ち上がり量Ｈ１が小さくなっているので（ほとんど無くなっているので）、ハウジング内空間２５に未硬化の充填材１３を充填するとき、空気が逃げやすくなり、充填材１３内での空気だまりの発生を極力無くすことができる。
【符号の説明】
【００６７】
１  電線付きコネクタ
５  ハウジング
７  止水栓
９  端子ホルダ
１１  電線
１３  充填材
１５  第１の中空部
１７  第１の筒状部
１９  第２の中空部
２１  第２の筒状部
２５  ハウジング内空間
２７  電線本体部
２９  端子
Ｃ１  第１の中空部の中心軸
Ｃ２  第２の中空部の中心軸
Ｃ３  第１の筒状部の中心軸
【図１】
2020024841.tif 000003
【図２】
2020024841.tif 000004
【図３】
2020024841.tif 000005
【図４】
2020024841.tif 000006
【図５】
2020024841.tif 000007
【図６】
2020024841.tif 000008
【図７】
2020024841.tif 000009
【図８】
2020024841.tif 000010
【図９】
2020024841.tif 000011
【図１０】
2020024841.tif 000012
【図１１】
2020024841.tif 000013
【図１２】
2020024841.tif 000014
【図１３】
2020024841.tif 000015